(57)【要約】      （修正有）【課題】操作によるペン先の出没に連動して、ペン先没入時の密閉空間を開放、閉塞する蓋部材を備える出没式筆記具では、ペン先没入時の密閉空間を形成するために、ペン先を備える筆記具本体と、外筒とが密接している必要があり、ペン先を備える筆記具本体は操作により前後動するため、外筒又は外筒との間に介在させた環状部材と、又は環状部材と外筒とが擦れることとなることにより、部材の擦れによる摩耗が発生し、気密性を維持できなくならないようにする。【解決手段】先端にペン先を備える筆記具本体２を、操作によって前進後退させて外筒前端の開口部よりペン先を突出没入なすと共に、この前進後退に連動する駆動にて外筒１の先端開口部を開放閉塞する蓋部材１３と、筆記具本体２と外筒１とが密接することとによって、ペン先の没入状態における密閉空間を形成する出没式筆記具において、前記筆記具本体の外筒に対する密接部に、液密に潤滑液体を配置する。【選択図】図１
2009056603.tif 000002
【特許請求の範囲】
【請求項１】
先端にペン先を備える筆記具本体を、操作によって前進後退させて外筒前端の開口部よりペン先を突出没入なすと共に、この前進後退に連動する駆動にて外筒の先端開口部を開放閉塞する蓋部材と、筆記具本体と外筒とが密接することとによって、ペン先の没入状態における密閉空間を形成する出没式筆記具において、前記筆記具本体の外筒に対する密接部に、液密に潤滑液体を配置した出没式筆記具。
【請求項２】
先端にペン先を備える筆記具本体を、操作によって前進後退させて外筒前端の開口部よりペン先を突出没入なすと共に、この前進後退に連動する駆動にて外筒の先端開口部を開放閉塞する蓋部材と、筆記具本体と外筒とに密接する環状部材とによって、ペン先の没入状態における密閉空間を形成する出没式筆記具において、前記環状部材と筆記具本体及び外筒に対する密接部に潤滑液体を配置した出没式筆記具。
【請求項３】
前記蓋部材が、回転駆動して外筒の先端開口部を開放閉塞する請求項１又は請求項２に記載の出没式筆記具。
【請求項４】
前記潤滑剤は、凝固点が−２２℃以下、沸点が１４５℃以上、粘度が１０〜５００００００ｍＰａ・ｓ（２０℃）である請求項１乃至請求項３のいずれかに記載の出没式筆記具。
【発明の詳細な説明】
【技術分野】
【０００１】
本発明は、先端にペン先を備える筆記具本体を、操作によって前進後退させて外筒前端の開口部よりペン先を突出没入なすと共に、この前進後退に連動する駆動にて外筒の先端開口部を開放閉塞する蓋部材と、筆記具本体と外筒とが密接することとによって、ペン先の没入状態における密閉空間を形成する出没式筆記具や、この前進後退に連動する駆動にて外筒の先端開口部を開放閉塞する蓋部材と、筆記具本体と外筒とに密接する環状部材とによって、ペン先の没入状態における密閉空間を形成する出没式筆記具に関するものである。
【背景技術】
【０００２】
特許文献１、２には、先端にペン先を備える筆記具本体を、操作によって前進後退させて外筒前端の開口部よりペン先を突出没入なすと共に、この前進後退に連動する駆動にて外筒の先端開口部を開放閉塞する蓋部材と、筆記具本体と外筒とに密接する環状部材とによって、ペン先の没入状態における密閉空間を形成する出没式筆記具が開示されております。
【特許文献１】特開２００５−２４６９７１号公報
【特許文献２】特開２００５−１９３５８５号公報
【発明の開示】
【発明が解決しようとする課題】
【０００３】
操作によるペン先の出没に連動して、ペン先没入時の密閉空間を開放閉塞する蓋部材を備える出没式筆記具では、ペン先没入時の密閉空間を形成するために、ペン先を備える筆記具本体と、外筒とが、直接又は別部材を介して密接している必要がある。しなしながら、ペン先を備える筆記具本体は操作によって前後動するため、外筒又は外筒との間に介在させた環状部材と、又は環状部材と外筒とが擦れることとなる。よって、部材の擦れによる摩耗が発生し、気密性を維持できなくなることがあった。
【課題を解決するための手段】
【０００４】
本発明は、先端にペン先を備える筆記具本体を、操作によって前進後退させて外筒前端の開口部よりペン先を突出没入なすと共に、この前進後退に連動する駆動にて外筒の先端開口部を開放閉塞する蓋部材と、筆記具本体と外筒とが密接することとによって、ペン先の没入状態における密閉空間を形成する出没式筆記具において、前記筆記具本体の外筒に対する密接部に、液密に潤滑液体を配置した出没式筆記具を要旨とし、先端にペン先を備える筆記具本体を、操作によって前進後退させて外筒前端の開口部よりペン先を突出没入なすと共に、この前進後退に連動する駆動にて外筒の先端開口部を開放閉塞する蓋部材と、筆記具本体と外筒とに密接する環状部材とによって、ペン先の没入状態における密閉空間を形成する出没式筆記具において、前記環状部材と筆記具本体及び外筒に対する密接部に潤滑液体を配置した出没式筆記具を要旨とする。
【発明の効果】
【０００５】
筆記具本体と、外筒又は外筒との間に介在させた環状部材と、又は環状部材と外筒との間に潤滑液体を介在させることによって、該部の摺接状態を摩擦係数の低いものとすることができ、部材の摩耗を抑制し、気密性を維持することができる。また、万一、部材の寸法上の誤差などから隙間が生じてしまう場合でも、該液体自体が気体の通過を抑制しえるので気密性が阻害されないものである。更に、潤滑効果を発揮するので、前記摺接が筆記具本体の前後動に対する負荷荷重となり難く、軽い操作にてペン先の出没をなし得る。
【発明を実施するための最良の形態】
【０００６】
筆記具本体は、先端にペン先を備え、内部にインキを収容する部材である。ペン先としては、ボールペン、繊維収束体、ウレタンなどの多孔質体、連通孔を有する合成樹脂製ペン先など適宜使用可能である。また、インキの収容方法は、繊維収束体などのインキ吸蔵体に浸透させたり、インキ吸蔵体などを使用せずに、本体内に直接自由状態で収容してもよい。使用されるインキも、着色剤として染料及び／又は顔料が使用でき、主媒体も水、有機溶剤が適宜使用できる。
【０００７】
筆記具本体を動かす操作は、出没式筆記具の後端に配置したノック部材や、側部にスライド機構を設けるなど、公知の方法を種々採用できるものである。また、部材間にコイルスプリングなどの弾ぱつ部材を配置して、操作による駆動や、蓋部材の密閉性の一助とすることもできる。
【０００８】
外筒の先端開口部を開放閉塞する蓋部材は、前述の筆記具本体の移動と連動して駆動する。即ち、筆記具本体が前進するときには外筒の先端開口部を開放してペン先が突出可能となし、筆記具本体が後退して外筒内に収容された状態で外筒の先端開口部を閉塞する。
蓋部材の駆動は、蝶番によって外側又は内側に開く扉であってもよいし、部材の中心部分を軸にして回転することによってシャッター式に開閉するものであってもよい。いずれにしても外筒の内側から外筒の内縁に接して密閉する構造であると、温度変化などによって、蓋が閉まっている状態での外筒内や密閉空間内の内圧が高まった際にも不意に蓋部材が開放してしまうことを抑制するものとなる。更に、部材の中心部分を軸にして回転するものとすると、回転半径を極小とすることができるので、筆記具自体を細身のものとする際にも都合がよい。
【０００９】
潤滑液体としては、凝固点が−２２℃以下、沸点が１４５℃以上、粘度が１０〜５００００００ｍＰａ・ｓ（２０℃）の範囲のものであれば良く、合成潤滑油、鉱物油、グリセリン、リノール酸、リノレン酸、オレイン酸等の不飽和脂肪酸や各種飽和脂肪酸より構成される大豆油、菜種油、コーン油、紅花油、米油、綿実油、胡麻油、ピーナッツ油、オリーブ油、パーム油等の植物油などが挙げられ、合成潤滑油としては、α−オレフィン（ポリ−α−オレフィン）、ポリブテン（ポリイソブチレン）、アルキルベンゼンなどの炭化水素系合成潤滑油、ジエステル（二塩基酸エステル）、ポリオールエステル（ヒンダードエステル）などの脂肪酸エステル系合成潤滑油、シリコーンオイル、ケイ酸エステル、シランなどのシリコーン系合成潤滑油、クロロフルオロカーボン、パーフルオロポリエーテル、フルオロエステルなどのフッ素系合成潤滑油、フェニルエーテル、リン酸エステルなどが挙げられる。これらは、単独もしくは複数を混合して使用することもできる。
特に、本発明のように、密閉空間に接触し、合成樹脂やゴム、エラストマー等よりなる筆記具本体、外筒、環状部材から形成される密接部には、インキ等の溶剤に対して化学的に安定で、離型性、非粘着性の性質を持ち、表面張力が低く物質表面で広がりやすい性質を持つポリジメチルシロキサン、ポリメチルハイドロジェンシロキサン、ポリメチルフェニルシロキサン、環状ジメチルシロキサンなどのストレートシリコーンオイルや、側鎖及び又は両末端を有機基により変性させた、アミノ変性、エポキシ変性、カルビノール変性、メルカプト変性、カルボキシル変性、メタクリル変性、ポリエーテル変性、フェノール変性、シラノール変性、アラルキル変性、フロロアルキル変性、長鎖アルキル変性高級脂肪酸エステル変性、高級脂肪酸含有などの変性シリコーンオイルが好適に使用される。また、
ポリジメチルシロキサン、ポリメチルハイドロジェンシロキサン、ポリメチルフェニルシロキサン、環状ジメチルシロキサンなどのストレートシリコーンオイルは、温度による粘度変化が少ないので、環境変化等に影響され難いものである。
【実施例】
【００１０】
図１に一例を示す。
外筒１内に、筆記具本体２を収納している。筆記具本体２は、その内部に、塗布液を吸蔵させた吸蔵体３を配置している。筆記具本体２の先端にはペン先４を備えている。
バネ受け５は筆記具本体２の先端外周部に配置されている。
筆記具本体２は、筆記具本体２の肩部２ａとバネ受け５との間に配置されたコイルスプリング６による弾ぱつ力で後方に付勢されている。
また、筆記具本体２の後方には係止用突起７と解除用突起８が形成されていると共に、外筒１の後方には、クリップ９が取り付けられており、クリップ９の先端内部にはギア部材１０が取り付けられている。このギア部材１０は、外筒１側壁に形成された孔１１を通じて筆記具本体２係止用突起７と嵌り合うことができるようになっている。筆記具本体２の後端を押圧操作すると、筆記具本体２は前進し、外筒１の先端開口部１ａより、ペン先４が突出する。このとき、筆記具本体２に形成された係止用突起７とギア部材１０とが係止され、ペン先４の出没状態を維持する。再度、筆記具本体２の後端を押圧操作すると、さらに筆記具本体２が前進することで、筆記具本体２に形成された解除用突起８がギア部材１０に接触して押し上げ、係止用突起７とギア部材１０との係止状態が解除される。係止状態が解除されることにより、コイルスプリング６による弾ぱつ力で筆記具本体２が後退し、ペン先４は没入状態となる。
外筒１、筆記具本体２はいずれもポリプロピレン製であり、吸蔵体３はポリプロピレンフィルムで被覆したポリエステルの合成繊維の収束体で、ペン先４は、ポリエステル繊維の収束体をポリウレタン樹脂により固めて成形したものであり、先端をナイフカット形状に研磨したものである
【００１１】
外筒１の内部先端側には、ブチルゴム製のＯリング１２が配置されている。Ｏリング１２の後方には、蓋部材１３が配置されている。蓋部材１３は、バネ受け部材５を介してコイルスプリング６の弾発力を間接的に受けることにより、前方へ付勢され、Ｏリング１２に密接している。蓋部材１３は、筆記具本体２に形成した突起（図示せず）と筆記具本体２が前進したときに係接する関係となっており、筆記具本体２の前進に伴い回転して外筒１の先端開口部１ａを開放する。筆記具本体２が後退する際には、コイルスプリング６にて前方付勢されたバネ受け５が蓋部剤１３の外突起（図示せず）に係接して、蓋部材１３を開放時と反対方向に回転させ閉塞状態に戻す。
【００１２】
また、筆記具本体２の中間部外周には、突起１４が形成されている。この突起１４と外筒１とは周状に密接している。
前述の蓋部材１３とＯリング１２との密接と、この突起１４と外筒１との密接にて外筒１内に配置された筆記具本体２の先端に挿入されたペン先４が乾燥しないように、外気から遮断し、ペン先の没入状態における密閉空間を形成する。
筆記具本体２の出没没入動作によって、突起１４は外筒１の内壁に擦れながら移動する。突起１４の表面には潤滑液体として、凝固点が−５０℃以下、沸点が２００℃、粘度が１０，０００ｍＰａ・ｓ（２０℃）であるポリジメチルシロキサンが塗布されており、気密性と摺動の低摩擦係数とを実現している。
【００１３】
図２に他の一例を示す。
本例は、ペン先の没入状態における密閉空間をより小さくし、ペン先没入状態における、インキの乾燥を抑制するものである。以下、前述の一例と異なる点について説明する。
筆記具本体２の先端部外周には、外筒１と筆記具本体２とに摺接するようにブチルゴム製の環状部材１５が配置されている。蓋部材１３とＯリング１２との密接と、環状部材１５と筆記具本体２との密接、環状部材１５と外筒１との密接にて、ペン先４の没入状態における密閉空間を形成している。環状部材１５を筆記具本体２の比較的先端部分に設置していることで、密閉空間の容積を小さくできる。
筆記具本体２の作動によって、筆記具本体２は、環状部材１５と擦れながら移動する。環状部材１３の表面には潤滑液体として、凝固点が−５０℃以下、沸点が２００℃、粘度が１０，０００ｍＰａ・ｓ（２０℃）であるポリジメチルシロキサンが塗布されており、気密性と摺動の低摩擦係数とを実現している。
【００１４】
図２に示した発明に使用する形態を用いて、各種潤滑液体を塗布したサンプルを、ペン先出没動作１０００回実施した後サンプルとして使用した。
【００１５】
（経時減量試験）
サンプルを５０℃、３０％の環境下に３０日放置した前後でのサンプルの重量を測定し、インキの充填重量に対する割合を、減量（蒸発）した割合として百分率で示した。５％以下であれば長期の使用に耐えられると判断した。
【００１６】
（ペン先出没動作荷重）
サンプルの筆記具本体を出没し、係止させる迄の最大荷重を測定した。
【００１７】
【表１】
2009056603.tif 000003
【図面の簡単な説明】
【００１８】
【図１】一例を示す縦断面図。
【図２】他の一例を示す縦断面図。
【符号の説明】
【００１９】
１    外筒
１ａ  先端開口部
２    筆記具本体
２ａ  肩部
３    吸蔵体
４    ペン先
５    ばね受け
６    コイルスプリング
７    係止用突起解除用突起
８    解除用突起クリップ
９    クリップギア部材
１０    ギア部材Ｏリング
１１    孔蓋部材
１２    Ｏリング突起
１３    蓋部材環状部材
１４    突起
１５    環状部材
【図１】
2009056603.tif 000004
【図２】
2009056603.tif 000005